(57)【特許請求の範囲】
【請求項１】
固定枠体側に相互間に上下方向に距離を置いて設けられる第１、第２及び第３、第４のストライクと；固定枠体側に枢支される扉を閉鎖したとき第１ストライク及び第２ストライクの前方に対面する位置において当該扉に固着されるハンドルベースと；扉の前面と平行な第１固定枢軸によって基端側においてハンドルベースに起伏自在に枢着されることによって、倒伏したロック位置と起立した非ロック位置との間を回転自在で、ロック位置において基端から末端へ上下方向に延びるように配置されると共に、前記第１固定枢軸よりも末端側の部位においてロック位置における後方へ延出する駆動アームを有するレバーハンドルと；第１、第２、第３の３つの枢支点を有し、前記第１固定枢軸と平行な第１可動枢軸によって第１枢支点において前記駆動アームの先端部に枢着される第１連結リンクと；一端部と他端部とを有し、前記第１固定枢軸と平行な第２可動枢軸によって一端部が前記第１連結リンクの第２枢支点に枢着される第２連結リンクと；基端部と、基端部から前記ハンドルベースの背面側に突出するフック部と、基端部からフック部と反対方向へ延出する受動肩部とを有し、基端部が前記第１固定枢軸と平行な第２固定枢軸によって第１固定枢軸の下斜め後方位置においてハンドルベースに枢着されると共に、受動肩部が第１固定枢軸と平行な第３可動枢軸によって前記第１連結リンクの第３枢支点に枢着されることで、前記レバーハンドルに連動してロック位置と非ロック位置との間を正逆回転し、ロック位置においてフック部が第１ストライクに対して上方から背面に係合し、非ロック位置においてフック部が第１ストライクから離脱する第１クランプ体と；基端部と、基端部から前記ハンドルベースの背面側に突出するフック部と、基端部からフック部と反対方向へ延出する受動肩部とを有し、基端部が前記第１固定枢軸と平行な第３固定枢軸によって第１固定枢軸の上斜め後方位置においてハンドルベースに枢着されると共に、受動肩部が第１固定枢軸と平行な第４可動枢軸によって前記第２連結リンクの他端部に枢着されることで、前記レバーハンドルに連動してロック位置と非ロック位置との間を前記第１クランプ体と反対方向に正逆回転し、ロック位置においてフック部が第２ストライクに対して下方から背面に係合し、非ロック位置においてフック部が第２ストライクから離脱する第２クランプ体と；基端部とフック部とを有し、扉を閉鎖したとき前記第３ストライクの前方に対面するように、前記第１クランプ体の下方に配置され、基端部において前記第１固定枢軸と平行な第４固定枢軸によって扉に枢着されることで、ロック位置と非ロック位置との間を前記第１クランプ体と同方向に正逆回転し、ロック位置においてフック部が第３ストライクに対して上方から背面に係合し、非ロック位置においてフック部が第３ストライクから離脱する第３クランプ体と；基端部とフック部とを有し、扉を閉鎖したとき前記第４ストライクの前方に対面するように、前記第２クランプ体の上方位置に配置され、基端部において前記第１固定枢軸と平行な第５固定枢軸によって扉に枢着されることで、ロック位置と非ロック位置との間を前記第２クランプ体と同方向に正逆回転し、ロック位置においてフック部が第４ストライクに対して上方から背面に係合し、非ロック位置においてフック部が第３ストライクから離脱する第４クランプ体と；一端部において前記第１固定枢軸と平行な第５可動枢軸によって前記第１クランプ体のフック部に枢着され、他端部において前記第１固定枢軸と平行な第６可動枢軸によって前記第３クランプ体のフック部に枢着されることによって、第１クランプ体と第３クランプ体とを同期回転させる第１連動バーと；一端部において前記第１固定枢軸と平行な第７可動枢軸によって前記第２クランプ体のフック部に枢着され、他端部において前記第１固定枢軸と平行な第８可動枢軸によって前記第４クランプ体のフック部に枢着されることによって、第２クランプ体と第４クランプ体とを同期回転させる第２連動バーと；一端側が前記第２固定枢軸に係止され、他端側が前記第１可動枢軸に係止され、非ロック位置にある前記レバーハンドルを起立状態に保持し、非ロック位置からロック位置への回転途上で死点を超え、ロック位置にあるレバーハンドルを倒伏状態に保持する反転ばねとを具備し；前記レバーハンドルが非ロック位置からロック位置へ回転する途上のロック位置の直前位置で、前記第１可動枢軸と第２可動枢軸とを結ぶ直線が、第２可動枢軸から扉前面に対して直角に延びる基準線を下方から上方へ越えることにより、ロック位置において前記第１、第２、第３，第４クランプ体が、非ロック方向への回転外力を受けたときに、前記第２連結リンクを介してレバーハンドルを倒伏方向へ押しつけ、その反力で当該外力に抗するように構成されることを特徴とする扉用ロックハンドル装置。
【請求項２】
前記ハンドルベースは、扉の開口を通して扉の背面側へ延出する後方延出部と扉の前方へ露出する前方露出部とを有する左右一対縦方向の側壁を具備し、
前記第１クランプ体を枢支する第２固定枢軸と第２クランプ体を枢支する第３固定枢軸とは、前記ハンドルベースの側壁における後方延出部の扉の前面から後方へ等距離の位置に支持され、
前記第３クランプ体を枢支する第４固定枢軸と第４クランプ体を枢支する第５固定枢軸とは、扉の前面からの距離が前記第２，第３固定枢軸と等しい位置において前記軸受けベースを介して扉の背面側に支持され、
それによって、第１ないし第４クランプ体をそれぞれ枢支する第２ないし第５固定枢軸が、扉の背面側において、扉の前面から等距離の位置で縦方向に整列するよう構成されることを特徴とする請求項１に記載の扉用ロックハンドル装置。
【発明の詳細な説明】
【技術分野】
【０００１】
この発明は、電気機器格納用キャビネット等において、閉鎖状態の扉をキャビネット本体等の固定枠体に対して締付け錠止するクランプ式の扉用ロックハンドル装置に関する。
【背景技術】
【０００２】
分電盤や配電盤等の電気機器収納用キャビネットの扉用ロックハンドル装置として、例えば、特許文献1に記載されダブルクランプ式の扉用ロックハンドル装置が知られている。このロックハンドル装置は、固定枠体側に相互間に距離を置いて設けられる第１ストライク及び第２ストライクと；扉を閉鎖したとき第１ストライク及び第２ストライクと対面する位置において扉に固着される本体ケースと；前記本体ケースに収容され、扉前面と平行な第１固定枢軸によって本体ケースに枢着され、第１固定枢軸よりも先端側の部位に駆動アームを設けたレバーハンドルと；第１固定枢軸と平行な第１可動軸によって前端部を前記駆動アームの先端部に枢着された連結リンクと；第１固定枢軸と平行であって第１固定枢軸よりも斜め後方に配置した第２固定枢軸によって基端部を本体ケースに枢着され、本体ケースの背面側に突出した先端フック部が第１ストライクに係脱する第１クランプ体と；第１固定枢軸と平行であって第１固定枢軸よりも斜め後方に配置した第３固定枢軸によって基端部を本体ケースに枢着され、本体ケースの背面側に突出した先端フック部が第２ストライクに係脱する第２クランプ体とからなり、
扉前面に対して直角であって第１固定枢軸を通る動作基準線に関して第２固定枢軸と第３固定枢軸を対称位置に配置し、第１固定枢軸と平行であって前記動作基準線に沿って移動する第２可動枢軸によって第１クランプ体の受動肩部と第２クランプ体の受動肩部を前記連結リンクの後端部に連結し、第１クランプ体の先端フック部が第１ストライクに係合し、第２クランプ体の先端フック部が第２ストライクに係合した扉施錠状態において、第１可動枢軸が前記動作基準線を第２固定枢軸側に越えた位置に来る一方、第１クランプ体の先端フック部が第１ストライクから離脱し、第２クランプ体の先端フック部が第２ストライクから離脱した扉解錠状態において、第１可動枢軸が前記動作基準線を第３固定枢軸側に越えた位置に来るようにしたものである。この装置では、第２可動枢軸を動作基準線に沿って移動させるために、その両端部を本体ケースに形成されたガイド用スロットに挿入する構成である。また、第１クランプ体の受動肩部と第２クランプ体の受動肩部にはそれぞれ連動用スロットが形成され、これらの連動用スロットに第２可動枢軸を挿通させて両クランプ体を連結リンクの後端部に連結する構成である。
また、分電盤や配電盤等の電気機器収納用キャビネットの扉用ロックハンドル装置として、例えば、扉面に取り付けたハンドルの起立、倒伏操作操作により回動するフックをキャビネット本体に設けた係止部に係脱させると共に、扉内面の上部又は下部の少なくとも一方に４軸式のクランプ錠を設け、このクランプ錠に、ハンドルの起立、倒伏操作により上下されるロッドを連結させ、キャビネット本体には、クランプ錠が係止する受け金を設けた扉の鎖錠装置であって、４軸式のクランプ錠が、クランプ錠本体にフックと駆動板の基端部をそれぞれ枢着し、フックと駆動板の中間部にリンク板の両端を枢着して連結するとともに駆動板の先端部にロッドを連結してなるものが知られている（例えば特許文献２参照）。
【先行技術文献】
【特許文献】
【０００３】
【特許文献１】特開２００６−６３６７３号公報
【特許文献２】特開２００２−３６４２２７号公報
【発明の概要】
【発明が解決しようとする課題】
【０００４】
この出願に係る発明は、ガイド用スロット又は連動用スロットに可動枢軸を係合させたり、扉の上下に４軸式のクランプ錠を設けたりする上記従来の複雑な構成を用いることなく、単純で遊びの少ないリンク結合のみを用いたダブルクランプ式の扉用ロックハンドル装置を提供すること、また、扉をより高い密閉度をもってキャビネット本体に錠止することができる扉用ロックハンドル装置を提供することを目的としている。
【課題を解決するための手段】
【０００５】
以下、添付図面の符号を参照して説明するが、本発明はこれに限定されるものではない。
上記課題を解決するための、この出願に係る発明の扉用ロックハンドル装置は、固定枠体Ｂ側に相互間に上下方向に距離を置いて設けられる第１、第２及び第３、第４のストライク１，２，３，４と；扉Ｄを閉鎖したとき第１ストライク１及び第２ストライク２の前方に対面する位置において当該扉Ｄに固着されるハンドルベース５と；扉Ｄの前面Ｄ２と平行な第１固定枢軸６によって基端側においてハンドルベース５に起伏自在に枢着されることによって、倒伏したロック位置と起立した非ロック位置との間を回転自在で、ロック位置において基端から末端へ上下方向に延びるように配置されると共に、前記第１固定枢軸６よりも末端側の部位においてロック位置における後方へ延出する駆動アーム８を有するレバーハンドル７と；第１、第２、第３の３つの枢支点を有し、前記第１固定枢軸６と平行な第１可動枢軸１５によって第１枢支点において前記駆動アーム８の先端部に枢着される第１連結リンク１６と；一端部と他端部とを有し、前記第１固定枢軸６と平行な第２可動枢軸１８によって一端部が前記第１連結リンク１６の第２枢支点に枢着される第２連結リンク１９と；基端部１１と、基端部１１から前記ハンドルベース５の背面側に突出するフック部１２と、基端部１１からフック部１２と反対方向へ延出する受動肩部１３とを有し、基端部１１が前記第１固定枢軸６と平行な第２固定枢軸９によって第１固定枢軸６の下斜め後方位置においてハンドルベース５に枢着されると共に、受動肩部１３が第１固定枢軸６と平行な第３可動枢軸２０によって前記第１連結リンク１６の第３枢支点に枢着されることで、前記レバーハンドル７に連動してロック位置と非ロック位置との間を正逆回転し、ロック位置においてフック部１２が第１ストライク１に対して上方から背面に係合し、非ロック位置においてフック部１２が第１ストライク１から離脱する第１クランプ体１０と；基端部２４と、基端部２４から前記ハンドルベース５の背面側に突出するフック２５部と、基端部２４からフック部２５と反対方向へ延出する受動肩部２６とを有し、基端部２４が前記第１固定枢軸６と平行な第３固定枢軸２２によって第１固定枢軸の上斜め後方位置においてハンドルベース５に枢着されると共に、受動肩部２６が第１固定枢軸６と平行な第４可動枢軸２７によって前記第２連結リンク１９の他端部に枢着されることで、前記レバーハンドル７に連動してロック位置と非ロック位置との間を前記第１クランプ体１０と反対方向に正逆回転し、ロック位置においてフック部２５が第２ストライク２に対して下方から背面に係合し、非ロック位置においてフック部２５が第２ストライク２から離脱する第２クランプ体２３と；基端部２９とフック部３０とを有し、扉Ｄを閉鎖したとき前記第３ストライク３の前方に対面するように、前記第１クランプ体１０の下方に配置され、基端部２９において前記第１固定枢軸６と平行な第４固定枢軸３１によって扉Ｄに枢着されることで、ロック位置と非ロック位置との間を前記第１クランプ体１０と同方向に正逆回転し、ロック位置においてフック部３０が第３ストライク３に対して上方から背面に係合し、非ロック位置においてフック部３０が第３ストライク３から離脱する第３クランプ体２８と；基端部３６とフック部３７とを有し、扉Ｄを閉鎖したとき前記第４ストライク４の前方に対面するように、前記第２クランプ体２３の上方位置に配置され、基端部３６において前記第１固定枢軸６と平行な第５固定枢軸３８によって扉Ｄに枢着されることで、ロック位置と非ロック位置との間を前記第２クランプ体２３と同方向に正逆回転し、ロック位置においてフック部３７が第４ストライク４に対して上方から背面に係合し、非ロック位置においてフック部３７が第４ストライク４から離脱する第４クランプ体と；一端部において前記第１固定枢軸６と平行な第５可動枢軸３３によって前記第１クランプ体１０のフック部１２に枢着され、他端部において前記第１固定枢軸６と平行な第６可動枢軸３４によって前記第３クランプ体２８のフック部２５に枢着されることによって、第１クランプ体１０と第３クランプ体２８とを同期回転させる第１連動バー３２と；一端部において前記第１固定枢軸６と平行な第７可動枢軸４０によって前記第２クランプ体２３のフック部２５に枢着され、他端部において前記第１固定枢軸６と平行な第８可動枢軸４１によって前記第４クランプ体３５のフック部３７に枢着されることによって、第２クランプ体２３と第４クランプ体３５とを同期回転させる第２連動バー３９と；一端側が前記第２固定枢軸９に係止され、他端側が前記第１可動枢軸１５に係止され、非ロック位置にある前記レバーハンドル７を起立状態に保持し、非ロック位置からロック位置への回転途上で死点を超え、ロック位置にあるレバーハンドル７を倒伏状態に保持する反転ばね２１とを具備し；前記レバーハンドル７が非ロック位置からロック位置へ回転する途上のロック位置の直前位置で、前記第１可動枢軸と１５第２可動枢軸１８とを結ぶ直線Ｌ１が、第２可動枢軸１８から扉前面Ｄ２に対して直角に延びる基準線Ｌを下方から上方へ越えることにより、ロック位置において前記第１、第２、第３，第４クランプ体１０，２３，２８，３５が、非ロック方向への回転外力を受けたときに、前記第２連結リンク１９を介してレバーハンドル７を倒伏方向へ押しつけ、その反力で当該外力に抗するように構成される。
【発明の効果】
【０００６】
この出願に係る発明によれば、比較的単純なリンク結合のみを用いたダブルクランプ式の扉用ロックハンドル装置を提供することができる。
【図面の簡単な説明】
【０００７】
【図１】本発明に係る扉用ロックハンドル装置の開錠状態の縦断面図である。
【図２】図１の扉用ロックハンドル装置の錠止状態の縦断面図である。
【図３】図１の扉用ロックハンドル装置の操作途上における縦断面図である。
【図４】図１の扉用ロックハンドル装置を扉の裏側から見た背面図である。
【図５】図３におけるＶ−Ｖ矢視の平面図である。
【図６】図３におけるＶＩ−ＶＩ矢視の平面図である。
【発明を実施するための形態】
【０００８】
図面を参照してこの発明の実施の形態を説明する。
図１ないし図３は、本発明のロックハンドル装置を扉Ｄに取り付けた状態を示す縦断側面図であって、図１は開錠状態、図２は操作途上状態、図３は錠止状態を示している。図において１は第１ストライク、２は第２ストライク、３は第３ストライク、４は第４ストライクであり、上下方向に所要の相互間隔を置いて、キャビネット等の本体である固定枠体Ｂにおける開口部の周囲フランジ部Ｂ１に固着されている。
【０００９】
ロックハンドル装置のハンドルベース５は、閉扉時にストライク１，２に対向するように、扉Ｄの自由端部側の前面に配置され、扉Ｄの背面側（後面）からねじで扉Ｄに締め付け固着される。ハンドルベース５の左右側壁部４８は、その一部（前方露出部４８ａ）が扉Ｄの前面Ｄ２側に露出しており、他の一部（後方延出部４８ｂ）が扉Ｄに形成された開口を通して扉の背面側（後方）へ延出している。
【００１０】
第１固定枢軸６は、扉Ｄの前面Ｄ２と平行で、両端においてハンドルベース５の左右側壁の前方露出部４８ａに支持され、中間部がレバーハンドル７の上端（基端）部を水平方向に貫通している。レバーハンドル７は、第１固定枢軸６を中心に、ハンドルベース５に対して起立した非ロック位置（図１）と、倒伏したロック位置（図３）との間を、途上位置（図２）を経て回転自在で、ロック位置において、扉Ｄの前面Ｄ２に沿って上下方向に延びるように配置される。レバーハンドル７は、ロック位置において第１固定枢軸６よりも後方へ延出する駆動アーム８を有する。
【００１１】
第２固定枢軸９は、第１固定枢軸６と平行で、第１固定枢軸の斜め下後方位置において、両端がハンドルベース５の左右側壁後方延出部４８ｂに支持され、中間部が第１クランプ体１０の基端部１１を水平方向に貫通している。第１クランプ体１０は、基端部１１と、基端部１１からハンドルベース５の背面側に突出するフック部１２と、基端部からフック部１２と反対方向へ延出する受動肩部１３とを有する。また、基端部１１からばね受け突起１４が突出している。
【００１２】
第１可動枢軸１５は、第１固定枢軸６と平行で、両端においてレバーハンドル７における駆動アーム８の先端部に支持される。第１可動枢軸１５の中間部は、第１連結リンク１６の第１枢支点を貫通する。第１連結リンク１６は、ほぼL字形の板状で、一端側に第１枢支点、中間に第２枢支点、他端側に第３枢支点を有し、また第１枢支点付近にばね受け突起１７を有する。
【００１３】
第２可動枢軸１８は、第１固定枢軸６と平行で、第１連結リンク１６の第２枢支点と第２連結リンク１９の一端部とを枢支する。第３可動枢軸２０は、第１固定枢軸６と平行で、第１連結リンク１６の第３枢支点と第１クランプ体１０の受動肩部１３とを枢支する。第１クランプ体１０のばね受け突起１４と第１連結リンク１６のばね受け突起１７との間（実質的には、第２固定枢軸１１と第１可動枢軸１５との間）には、反転ばね２１が挿入される。
【００１４】
第３固定枢軸２２は、第１固定枢軸６と平行で、第１固定枢軸の斜め上後方位置において、両端がハンドルベース５の左右側壁の後方延出部４８ｂに支持され、中間部が第２クランプ体２３の基端部２４を水平方向に貫通している。第３固定枢軸２２と第２固定枢軸９とは、扉の前面Ｄ２からの距離が等しい位置で縦方向に整列している。第２クランプ体２３は、第１クランプ体１０と同形で、それと上下反転した状態に設けられ、基端部２４と、基端部２４からハンドルベース５の背面側に突出するフック部２５と、基端部からフック部２５と反対方向へ延出する受動肩部２６とを有する。第４可動枢軸２７は、第１固定枢軸６と平行で、第２連結リンク１９の他端部と第２クランプ体２３の受動肩部２６とを枢支する。
【００１５】
したがって、第１、第２クランプ体１０，２３は、レバーハンドル７の起伏回転に連動して、非ロック位置（図１）とロック位置（図３）との間を正逆回転し、ロック位置においてフック部１２，２５が、それぞれ第１、第２ストライク１，２に対して上方又は下方から背面に係合し、非ロック位置においてフック部１２，２５が第１、第２ストライク１，２から離脱する。
【００１６】
反転ばね２１は、実質的に、一端側が第１可動枢軸１５係止され、他端側が第２固定枢軸９係止されているので、非ロック位置にあるレバーハンドル７を起立状態（図１）に保持（図１において固定枢軸６中心に反時計方向の回転力を付与）し、非ロック位置からロック位置への回転途上（図２）で圧死点を越え、ロック位置（図３）にあるレバーハンドル７を倒伏状態に保持（図３において軸６中心に時計方向の回転力を付与）する。
【００１７】
しかして、ロックハンドル装置の本体は、図１に示すように、クランプ体１０，２３のフック部１２，２５がストライク１，２から離脱した非ロック位置において、第１可動枢軸（第１枢支点）１５と第２可動枢軸（第２枢支点）１８とを結ぶ直線Ｌ１が、第２可動枢軸（第２枢支点）１８から扉前面Ｄ２に対して直角に延びる基準直線Ｌより下方にある一方、図３に示すように、クランプ体１０，２３のフック部１２，２５がストライク１，２に係合したロック位置において、直線Ｌ１が、基準直線Ｌを上方へ越えた位置に来るように各部が配置される。
【００１８】
今、図１に示す非ロック状態において、レバーハンドル７は、ハンドルベース５から起立し、反転ばね２１により、起立状態に保持されている。第１、第２クランプ体９，２３のフック部１２，２５は、それぞれ第１、第２ストライク１，２から離脱している。直線Ｌ１は、基準直線Ｌの右下側にある。
【００１９】
この状態から、反転ばね２１に抗してレバーハンドル７を倒伏方向(時計方向)へ回転させると、図２に示す中間位置において反転ばね２１が圧死点に達し、これを越えると、レバーハンドル９は倒伏方向へ付勢され、図３に示すロック位置に至る。この間に、直線Ｌ１は、基準直線Ｌを上方へ越えて右上側に配置される。この状態では、外部の衝撃や振動、扉の自重、固定枠体の内部圧力等によりフック部１２，２５が離脱方向（フック部１２が図において時計方向、フック部２５が図において反時計方向）への回転力を受けても、連結リンク１６が回転できないので、フック部１２，２５がストライク１，２から離脱することはない。扉は２点でロックされる。
【００２０】
第３クランプ体２８は、基端部２９とフック部３０とを有し、扉Ｄを閉鎖したとき第３ストライク３の前方に対面するように、第１クランプ体１０の下方に所定間隔を置いて配置され、基端部２９において第１固定枢軸６と平行な第４固定枢軸３１で軸受けベース４２を介して扉Ｄに枢着される。それによって、第３クランプ体２８は、ロック位置と非ロック位置との間を第１クランプ体１０と同方向に正逆回転し、ロック位置においてフック部３０が第３ストライク３に対して上方から背面に係合し、非ロック位置においてフック部３０が第３ストライク３から離脱する。第４固定枢軸３１は、扉の前面Ｄ２からの距離が第２，第３枢軸と等しい位置で縦方向に整列している。第１連動バー３２が、上端部において第１固定枢軸６と平行な第５可動枢軸３３によって第１クランプ体１０のフック部１２に枢着され、下端部において第１固定枢軸６と平行な第６可動枢軸３４によって第３クランプ体２８のフック部３０に枢着される。これによって、第１クランプ体と第３クランプ体とが同期回転する。軸受けベース４２は、扉Ｄに固着される脚部４３と、脚部４３に支持させる軸受け部４４とを具備する。脚部４３は、扉Ｄの裏面側に位置して、縦フランジ部Ｄ１の内側面に溶着される。軸受け部４４は、ハンドルベース５の左右側壁４８における後方延出部４８ｂと整列した位置にある。したがって、軸受け部４４は、第３クランプ体２８を、ハンドルベース５の後方延出部４８ｂに枢支された第１クランプ体１０と整列した位置に支持する。
【００２１】
第４クランプ体３５は、基端部３６とフック部３７とを有し、扉Ｄを閉鎖したとき第４ストライク４の前方に対面するように、第２クランプ体２３の上方位置に配置され、基端部３６において第１固定枢軸６と平行な第５固定枢軸３８で軸受けベース４５を介して扉Ｄに枢着される。それによって、第４クランプ体３５は、ロック位置と非ロック位置との間を第２クランプ体２３と同方向に正逆回転し、ロック位置においてフック部３７が第４ストライク４に対して上方から背面に係合し、非ロック位置においてフック部３７が第４ストライク４から離脱する。第５固定枢軸３８は、扉の前面Ｄ２からの距離が第２ないし第４固定枢軸と等しい位置で縦方向に整列している。第２連動バー３９が、下端部において第１固定枢軸６と平行な第７可動枢軸４０によって第２クランプ体２３のフック部２５に枢着され、上端部において第１固定枢軸６と平行な第８可動枢軸４１で第４クランプ体３５のフック部３７に枢着される。それによって、第２クランプ体２３と第４クランプ体３５とが同期回転する。軸受けベース４５は、扉Ｄに固着される脚部４６と、脚部４６に支持させる軸受け部４７とを具備する。脚部４７は、扉Ｄの裏面側に位置して、縦フランジ部Ｄ１の内側面に溶着される。軸受け部４７は、ハンドルベース５の左右側壁４８における後方延出部４８ｂと整列した位置にある。したがって、軸受け部４７は、第４クランプ体３５を、ハンドルベース５の後方延出部４８ｂに枢支された第２クランプ体２３と整列した位置に支持する。
【００２２】
以上のように、第１〜第４クランプ体１０，２３，２８，３５は、レバーハンドル７の倒伏、起立動作に応じて、同期して回転することにより、扉Ｄをその中間及び上下端の高さ位置において、固定枠体Ｂに対して同時に締め付け、解放する。これにより、扉Ｄをより高い密閉度をもってキャビネット本体に錠止することができる。
【符号の説明】
【００２３】
１    第１ストライク
２    第２ストライク
３    第３ストライク
４    第４ストライク
５    ハンドルベース
６    第１固定枢軸
７    レバーハンドル
８    駆動アーム
９    第２固定枢軸
１０  第１クランプ体
１１  基端部
１２  フック部
１３  受動肩部
１４  ばね受け突起
１５  第１可動枢軸
１６  第１連結リンク
１７  ばね受け突起
１８  第２可動枢軸
１９  第２連結リンク
２０  第３可動枢軸
２１  反転ばね
２２  第３固定枢軸
２３  第２クランプ体
２４  基端部
２５  フック部
２６  受動肩部
２７  第４可動枢軸
２８  第３クランプ体
２９  基端部
３０  フック部
３１  第４固定枢軸
３２  第１連動バー
３３  第５可動枢軸
３４  第６可動枢軸
３５  第４クランプ体
３６  基端部
３７  フック部
３８  第５固定枢軸
３９  第２連動バー
４０  第７可動枢軸
４１  第８可動枢軸
４２  軸受けベース
４３  脚部
４４  軸受け部
４５  軸受けベース
４６  脚部
４８  ハンドルベースの左右側壁部
４８ａ  側壁の後方延出部
４８ｂ  側壁の前方露出部
Ｂ    固定枠体
Ｂ１  フランジ部
Ｄ    扉
Ｌ    基準直線
Ｌ１  第１、第２枢支点間を結ぶ直線
【図１】
0005174929.tif 000002
【図２】
0005174929.tif 000003
【図３】
0005174929.tif 000004
【図４】
0005174929.tif 000005
【図５】
0005174929.tif 000006
【図６】
0005174929.tif 000007